(57)【要約】【課題】照度センサが断線していても、照度センサ周辺が暗い場合と区別がつかず、照度センサの断線を検出することができないため、機器が故障しているにもかかわらず、使用者やサービスマンがそのことを知ることができない。【解決手段】日射量や照度を検出する照度センサ１と、前記センサの検出値に応じて機器を制御する制御部１０と、前記センサが断線しているかどうかを確認するセンサチェックモードに切換えるモード切換え手段２と、前記モード切換え手段によりセンサチェックモードに設定されていれば前記センサの検出値が所定値未満であれば前記センサが断線していると判定する判定手段３とを備える。【選択図】図１
2011085334.tif 000002
【特許請求の範囲】
【請求項１】
日射量や照度を検出するセンサと、前記センサの検出値に応じて機器を制御する制御部と、前記センサが断線しているかどうかを確認するセンサチェックモードに切換えるモード切換え手段と、このモード切換え手段により前記センサチェックモードに設定されている時、前記センサの検出値が所定値未満であれば前記センサが断線していると判定する判定手段とを備えた空気調和機。
【請求項２】
運転状態を表示する表示ランプを備え、前記センサチェックモードに設定中は、前記センサが断線しているかどうかを前記表示ランプにより表示する請求項１に記載の空気調和機。
【請求項３】
ブザーを備え、前記センサチェックモードに設定中は、前記センサが断線しているかどうかをブザー音により知らせる請求項１から２に記載の空気調和機。
【請求項４】
前記モード切換え手段は、前記センサチェックモードに切換えた後、一定時間経過すると自動的にセンサチェックモードを解除する請求項１から３のいずれか１項に記載の空気調和機。
【請求項５】
前記モード切換え手段は、前記センサチェックモードに設定中に、前記遠隔操作装置から運転または停止の信号を受信するとセンサチェックモードを解除する請求項１から４のいずれか１項に記載の空気調和機。
【発明の詳細な説明】
【技術分野】
【０００１】
本発明は、日射量や照度を検出するセンサを備えた空気調和機に関するものである。
【背景技術】
【０００２】
従来、この種の空気調和機は、発光素子により運転状態を表示する表示部を備え、照度センサにより表示部の周辺照度を検出し、照度センサの出力に応じて発光素子の輝度を変化させるようになっている（例えば、特許文献１参照）。
【先行技術文献】
【特許文献】
【０００３】
【特許文献１】実開昭５９−６２４２９号公報
【発明の概要】
【発明が解決しようとする課題】
【０００４】
しかしながら、前記従来の構成では、照度センサが断線している場合は照度センサの出力が非常に小さくなり、また、照度センサ周辺の照度が非常に暗い場合にも照度センサの出力が非常に小さくなり、照度センサが断線しているのか、照度センサ周辺の照度が暗いのか区別がつかず、照度センサの断線を検出することができないため、機器が故障しているにもかかわらず、使用者やサービスマンがそのことを知ることができないという課題を有していた。
【０００５】
本発明は、上記従来の課題を解決するもので、照度センサが断線している場合に、使用者やサービスマンに照度センサの断線を通知することを目的とする。
【課題を解決するための手段】
【０００６】
前記従来の課題を解決するために、本発明の空気調和機は、日射量や照度を検出するセンサと、前記センサの検出値に応じて機器を制御する制御部と、前記センサが断線しているかどうかを確認するセンサチェックモードに切換えるモード切換え手段と、前記モード切換え手段によりセンサチェックモードに設定されていれば前記センサの検出値が所定値未満であれば前記センサが断線していると判定する判定手段とを備え、前記センサが断線しているかどうかを表示ランプにより表示するものである。
【０００７】
これにより、照度センサが断線している場合でも、使用者やサービスマンに照度センサの断線を通知することができる。
【発明の効果】
【０００８】
本発明の空気調和機は、照度センサが断線していても、照度センサ周辺が暗い場合と区別がつかないため、照度センサの断線の検知することができないが、照度センサのセンサチェックモードに設定し、センサチェックモード中は、照度センサの検出値が所定値未満であれば断線していると判定し、表示ランプにより表示するものである。使用者やサービスマンがセンサチェックモード中の照度センサ周辺の照度はある程度明るいことが分かっているため、照度センサの出力から照度センサの断線を確実に判断することができる。
【図面の簡単な説明】
【０００９】
【図１】本発明の実施の形態１における空気調和機のブロック図
【図２】本発明の実施の形態１における空気調和機の動作を示すフローチャート
【発明を実施するための形態】
【００１０】
第１の発明は、日射量や照度を検出するセンサと、前記センサの検出値に応じて機器を制御する制御部と、前記センサが断線しているかどうかを確認するセンサチェックモードに切換えるモード切換え手段と、前記モード切換え手段によりセンサチェックモードに設定されていれば前記センサの検出値が所定値未満であれば前記センサが断線していると判定する判定手段とを備えることにより、センサチェックモード中は照度センサの断線を確実に判定することができる。
【００１１】
第２の発明は、特に第1の発明において、運転状態を表示する表示ランプを備え、センサが断線しているかどうかを確認するセンサチェックモードに設定中は、前記センサが断線しているかどうかを前記表示ランプにより表示することにより、安価で確実に照度センサの断線を知らせることができる。
【００１２】
第３の発明は、特に第1または２の発明において、センサが断線しているかどうかを確認するセンサチェックモードに設定中は、前記センサが断線しているかどうかをブザー音により知らせることにより、より確実に照度センサの断線を知らせることができる。
【００１３】
第４の発明は、特に第1から３のいずれかの発明において、センサが断線しているかどうかを確認するセンサチェックモードに切換えた後、一定時間経過すると自動的にセンサチェックモードを解除するモード切換え手段を備えることにより、センサチェックモード設定後、通常モードに切換える手間を省くことができる。
【００１４】
第５の発明は、特に第1から４のいずれかの発明において、遠隔操作装置により機器を制御する制御部と、センサが断線しているかどうかを確認するセンサチェックモードに設定中に、前記遠隔操作装置から運転または停止の信号を受信するとセンサチェックモードを解除するモード切換え手段を備えことにより、センサチェックモード設定後、離れたところから簡単にセンサチェックモードを解除することができる。
【００１５】
以下、本発明の実施の形態について図面を参照しながら説明する。なお、この実施の形態によって本発明が限定されるものではない。
【００１６】
（実施の形態１）
図１は、本発明の実施の形態１における空気調和機のブロック図を示すものである。図１に示すように、制御部１０は、照度センサ１の検出値に応じて空気調和機を制御するとともに、照度センサが断線しているかどうかを確認するセンサチェックモードに切換えるモード切換え手段２と、モード切換え手段２によりセンサチェックモードに設定されていれば照度センサ１の断線を判定する判定手段３とで構成され、運転状態を表示する表示部４は、センサチェックモード中は判定手段３の出力により、表示状態を変更する。
【００１７】
以上のように構成された空気調和機について、以下、図２のフローチャートを用いて説明する。まず、照度センサ１の出力値Ｒを検出する（Ｓ２０１）。次に、モード切換え手段２により、センサチェックモードに設定されていれば（Ｓ２０２）、照度センサ１の出力値Ｒと予め設定された所定値ｒとを比較する（Ｓ２０３）。
【００１８】
照度センサ１の出力値Ｒが予め設定された所定値ｒ未満であれば、判定手段３は照度センサ１が断線していると判定し、表示部４を消灯し（Ｓ２０４）、照度センサ１の出力値Ｒが予め設定された所定値ｒ以上であれば、判定手段３は照度センサ１が断線としていないと判定し、表示部４を点灯する（Ｓ２０５）。
【００１９】
センサチェックモードに設定されていない場合は、空気調和機の運転状態により表示部
４の表示を変更する（Ｓ２０６）。空気調和機が運転されていれば、表示部４を点灯し（Ｓ２０７）、空気調和機が停止されていれば、表示部４を消灯する（Ｓ２０８）。
【００２０】
また、表示部に加えてブザー（図示せず）を備え、ブザー音で知らせることにより、より確実にセンサの断線を知らせることができる。
【００２１】
また、センサチェックモードは、センサチェックモードに切換えた後一定時間経過するか、遠隔操作装置等から運転または停止等の信号を受けると、モード切換え手段２によりセンサチェックモードを解除され、通常の運転モードに戻る。
【００２２】
以上のように、通常状態では照度センサが断線していても、照度センサ周辺が暗い場合と区別がつかないため、照度センサの断線の検知することができないが、本実施の形態においては、照度センサのセンサチェックモードに設定し、センサチェックモード中は、一般的に照度センサの周辺照度はある程度明るく、もし明るさが不十分ならば照度センサに光を当てる等により明るくすることにより、照度センサの検出値が所定値未満であれば断線していると判定でき、表示ランプにより表示する等により、照度センサの断線を確実に知らせることができる。
【産業上の利用可能性】
【００２３】
以上のように、本発明は、センサチェックモードに設定することにより、センサの断線を特定できるため、日射量や照度を検出するセンサを使用した家電機器や産業機器の用途にも広く適用できる。
【符号の説明】
【００２４】
１  照度センサ
２  モード切換え手段
３  判定手段
４  表示部
１０  制御部
【図１】
2011085334.tif 000003
【図２】
2011085334.tif 000004